(57)【特許請求の範囲】
【請求項１】
送信端末と複数の受信端末との間で、呼接続を確立し、複数のコンテンツを送受信するための通信を確立したのちに、該送信端末から該受信端末に該コンテンツを送信するコンテンツ配信システムであって、
前記送信端末は、
前記受信端末が前記コンテンツを受信可能であるかどうかを示す応答を前記受信端末に要求する要求手段と、
前記受信端末が前記コンテンツを受信可能であると前記応答が示す場合、該コンテンツを前記受信端末へ送信する第１送信手段と、
前記コンテンツを表示する第１表示手段と、
前記第１表示手段に表示されたコンテンツの表示順序を記憶する記憶手段と、を具備し、
前記受信端末は、
前記送信端末からの要求に対し、前記応答を該送信端末へ送信する応答手段と、
前記コンテンツを受信可能である場合に、該コンテンツを前記送信端末から受信する受信手段と、
前記コンテンツを受信完了した場合、受信完了通知を送信する第２送信手段と、
前記コンテンツを表示する第２表示手段と、を具備し、
前記送信端末は、第１コンテンツを前記受信端末へ送信する前に該第１コンテンツを前記第１表示手段に表示させ、該第１コンテンツを前記受信端末へ送信中の場合、該第１コンテンツの受信完了通知を前記受信端末から受信するまで、前記表示順序を参照して、該第１コンテンツの１つ前に前記第１表示手段に表示された第２コンテンツを該第１表示手段に表示させ、該第１コンテンツの受信完了通知を前記受信端末から受信した場合、該第１コンテンツを前記第１表示手段に表示させる第１制御手段をさらに具備し、
前記受信端末は、コンテンツの受信が完了した時刻が最も新しいコンテンツを順に前記第２表示手段に表示させる第２制御手段をさらに具備することを特徴とするコンテンツ配信システム。
【請求項２】
前記第１制御手段は、複数のコンテンツのうちの最初のコンテンツが前記受信端末へ送信される場合、前記受信端末から該最初のコンテンツの受信完了通知を受信するまで、該最初のコンテンツを前記第１表示手段に表示させないように制御することを特徴とする請求項１に記載のコンテンツ配信システム。
【請求項３】
送信端末と複数の受信端末との間で、呼接続を確立し、複数のコンテンツを送受信するための通信を確立したのちに、該送信端末から該受信端末に該コンテンツを送信するコンテンツ配信システムであって、
前記送信端末は、
前記受信端末が前記コンテンツを受信可能であるかどうかを示す応答を前記受信端末に要求する要求手段と、
前記受信端末が前記コンテンツを受信可能であると前記応答が示す場合、該コンテンツを前記受信端末へ送信する第１送信手段と、
前記コンテンツを表示する第１表示手段と、
前記コンテンツを前記受信端末へ送信した送信順序を記憶する記憶手段と、を具備し、
前記受信端末は、
前記送信端末からの要求に対し、前記応答を該送信端末へ送信する応答手段と、
前記コンテンツを受信可能である場合に、該コンテンツを前記送信端末から受信する受信手段と、
前記コンテンツを受信完了した場合、受信完了通知を送信する第２送信手段と、
前記コンテンツを表示する第２表示手段と、を具備し、
前記送信端末は、第１コンテンツを前記受信端末へ送信する前に該第１コンテンツを前記第１表示手段に表示させ、該第１コンテンツを前記受信端末へ送信中の場合、該第１コンテンツの受信完了通知を前記受信端末から受信するまで、前記送信順序を参照して、該第１コンテンツの１つ前に前記第１表示手段に表示された第２コンテンツを該第１表示手段に表示させ、該第１コンテンツの受信完了通知を前記受信端末から受信した場合、該第１コンテンツを前記第１表示手段に表示させる第１制御手段をさらに具備し、
前記受信端末は、コンテンツの受信が完了した時刻が最も新しいコンテンツを順に前記第２表示手段に表示させる第２制御手段をさらに具備することを特徴とするコンテンツ配信システム。
【請求項４】
送信端末と複数の受信端末との間で、呼接続を確立し、複数のコンテンツを送受信するための通信を確立したのちに、該送信端末から該受信端末に該コンテンツを送信するコンテンツ配信システムに用いられるコンテンツ配信方法であって、
前記送信端末において、
前記受信端末が前記コンテンツを受信可能であるかどうかを示す応答を前記受信端末に要求し、
前記受信端末が前記コンテンツを受信可能であると前記応答が示す場合、該コンテンツを前記受信端末へ送信し、
第１表示手段に前記コンテンツを表示し、
表示されたコンテンツの表示順序を記憶手段に記憶し、
前記受信端末において、
前記送信端末からの要求に対し、前記応答を該送信端末へ送信し、
前記コンテンツを受信可能である場合に、該コンテンツを前記送信端末から受信し、
前記コンテンツを受信完了した場合、受信完了通知を送信し、
第２表示手段に前記コンテンツを表示し、
前記送信端末は、第１コンテンツを前記受信端末へ送信する前に該第１コンテンツを前記第１表示手段に表示させ、該第１コンテンツを前記受信端末へ送信中の場合、該第１コンテンツの受信完了通知を前記受信端末から受信するまで、前記表示順序を参照して、該第１コンテンツの１つ前に前記第１表示手段に表示された第２コンテンツを該第１表示手段に表示させ、該第１コンテンツの受信完了通知を前記受信端末から受信した場合、該第１コンテンツを前記第１表示手段に表示させるように制御し、
前記受信端末は、コンテンツの受信が完了した時刻が最も新しいコンテンツを順に前記第２表示手段に表示させるように制御することを具備することを特徴とするコンテンツ配信方法。
【請求項５】
コンピュータを、請求項１から請求項３のいずれか１項に記載のコンテンツ配信システムの各手段として実行させるためのプログラム。
【発明の詳細な説明】
【技術分野】
【０００１】
この発明は、コンテンツ配信システム、方法及びプログラムに関する。
【背景技術】
【０００２】
近年、ＳＩＰ（Session Initiation Protocol）による呼接続で取得した情報に基づいて、送信端末と受信端末との間でＴＣＰ（Transmission Control Protocol）のセッションを確立し、ＴＣＰのセッション内で、コンテンツの種別を受信端末で受信する能力があるかどうかを確認してから、送信端末がコンテンツを受信端末へ送信する技術がある（例えば、特許文献１参照。）。
【先行技術文献】
【特許文献】
【０００３】
【特許文献１】特開２０１１−４０９３６号公報
【発明の概要】
【発明が解決しようとする課題】
【０００４】
しかしながら、コンテンツを転送しようとする際に、転送対象のコンテンツサイズに対して十分な回線帯域がない場合には、多くの転送時間がかかる。よって、コンテンツ（写真、ビデオなど）を見ながら音声通話またはビデオ通話するアプリケーションにおいて、連続して複数のコンテンツを転送する際には、各コンテンツの転送時間が長くなる。そのため、送信端末と受信端末とで異なるコンテンツが表示されることがあり、通話中に同一のコンテンツを閲覧できないという問題がある。
【０００５】
この発明は上記事情に着目してなされたもので、その目的とするところは、快適な通話を支援することができるコンテンツ配信システム、方法及びプログラムを提供することにある。
【課題を解決するための手段】
【０００６】
上記目的を達成するためにこの発明の一つの観点は、送信端末と複数の受信端末との間で、呼接続を確立し、複数のコンテンツを送受信するための通信を確立したのちに、該送信端末から該受信端末に該コンテンツを送信するコンテンツ配信システムであって、前記送信端末は、前記受信端末が前記コンテンツを受信可能であるかどうかを示す応答を前記受信端末に要求する要求手段と、前記受信端末が前記コンテンツを受信可能であると前記応答が示す場合、該コンテンツを前記受信端末へ送信する第１送信手段と、前記コンテンツを表示する第１表示手段と、前記第１表示手段に表示されたコンテンツの表示順序を記憶する記憶手段と、を具備し、前記受信端末は、前記送信端末からの要求に対し、前記応答を該送信端末へ送信する応答手段と、前記コンテンツを受信可能である場合に、該コンテンツを前記送信端末から受信する受信手段と、前記コンテンツを受信完了した場合、受信完了通知を送信する第２送信手段と、前記コンテンツを表示する第２表示手段と、を具備し、前記送信端末は、第１コンテンツを前記受信端末へ送信中の場合、該第１コンテンツの受信完了通知を前記受信端末から受信するまで、前記表示順序を参照して、該第１コンテンツの１つ前に前記第１表示手段に表示された第２コンテンツを該第１表示手段に表示させ、該第１コンテンツの受信完了通知を前記受信端末から受信した場合、該第１コンテンツを前記第１表示手段に表示させる第１制御手段をさらに具備し、前記受信端末は、コンテンツの受信が完了した時刻が最も新しいコンテンツを順に前記第２表示手段に表示させる第２制御手段をさらに具備することを特徴とする。
【発明の効果】
【０００７】
すなわちこの発明によれば、快適な通話を支援することができる。
【図面の簡単な説明】
【０００８】
【図１】ネットワーク表示システムを示すブロック図。
【図２】コンテンツ配信システムに含まれる送信端末を示すブロック図。
【図３】コンテンツ配信システムに含まれる受信端末を示すブロック図。
【図４】コンテンツ配信システムの動作を示すシーケンス図。
【図５】送信端末および受信端末における画面遷移の一例を示す図。
【図６Ａ】音声電話の場合の送信端末と受信端末との一例となる状態遷移図。
【図６Ｂ】音声電話の場合の送信端末と受信端末との割り込み時における状態遷移の一例を示す図。
【図７Ａ】ＴＶ電話の場合の送信端末と受信端末との一例となる状態遷移図。
【図７Ｂ】音声電話の場合の送信端末と受信端末との割り込み時における状態遷移の一例を示す図。
【図８Ａ】音声電話における、ながら通話状態に関する画面遷移の具体例を示す図。
【図８Ｂ】音声電話における、ながら通話状態に関する画面遷移の具体例を示す図。
【図８Ｃ】音声電話における、ながら通話状態に関する画面遷移の具体例を示す図。
【図８Ｄ】音声電話における、ながら通話状態に関する画面遷移の具体例を示す図。
【図９Ａ】ＴＶ電話における、ながら通話状態に関する画面遷移の具体例を示す図。
【図９Ｂ】ＴＶ電話における、ながら通話状態に関する画面遷移の具体例を示す図。
【図９Ｃ】ＴＶ電話における、ながら通話状態に関する画面遷移の具体例を示す図。
【図９Ｄ】ＴＶ電話における、ながら通話状態に関する画面遷移の具体例を示す図。
【発明を実施するための形態】
【０００９】
以下、図面を参照しながら本開示の一実施形態に係るコンテンツ配信システム、方法及びプログラムについて詳細に説明する。なお、以下の実施形態では、同一の番号を付した部分については同様の動作を行うものとして、重ねての説明を省略する。
本実施形態に係るコンテンツ配信システムを含むコンテンツ配信システムについて図１を参照して説明する。  
コンテンツ配信システム１００は、送信端末１１０、受信端末１２０、およびネットワーク１５０を含む。本実施形態のコンテンツ配信システム１００では、送信端末１１０と受信端末１２０との間で、ＩＰ（Ｉｎｔｅｒｎｅｔ Ｐｒｏｔｏｃｏｌ）電話により通話を行いつつ、コンテンツ１５１を送信端末１１０から受信端末１２０へ送信する場合を想定する。コンテンツ１５１は、例えば、写真などの画像データ、動画データ、音楽データおよび電子文書データを含む。  
送信端末１１０は、コンテンツ１５１を外部から取得してもよいし、自端末内に予め格納されるコンテンツを用いてもよいが、以下ではコンテンツ１５１を外部から取得する場合を例に説明する。受信端末１２０は、受信したコンテンツ１５１を受信端末１２０内で格納してもよいし、外部のサーバ１５２などの格納部に格納してもよい。また、図１では受信端末１２０が１つである例を示すが、これに限らず複数の受信端末１２０が存在してもよい。  
なお、本実施形態における「通話」には、音声のみの会話だけではなく、いわゆるビデオチャット（テレビ電話）などといった、映像と音声とによる会話も含む。
【００１０】
次に、本実施形態に係る送信端末１１０について図２のブロック図を参照して説明する。  
送信端末１１０は、ＳＩＰ確立部２０１、ＴＣＰ確立部２０２、読込部２０３、保存部２０４、能力確認部２０５、送信部２０６、表示部２０７、操作部２０８、出力部２０９、電話部２１０、コンテンツ表示状態記憶部２１１および制御部２１２を含む。
【００１１】
ＳＩＰ確立部２０１は、受信端末１２０を特定するＩＤ（例えば、電話番号）に基づいて、ＳＩＰを用いて受信端末１２０と呼接続を確立し、受信端末１２０から端末情報を受け取る。端末情報は、ＩＰアドレスおよびポート番号など端末を特定する情報である。また、ＳＩＰ確立部２０１は、通話終了時に、受信端末１２０と確立した呼接続を切断する。  
ＴＣＰ確立部２０２は、ＳＩＰ確立部２０１から端末情報を受け取り、ＴＣＰのメディアセッションを確立する。メディアセッションとは、アプリケーション間でデータをやりとりするための仮想的な伝送路である。これにより、複数のコンテンツを送受信するための通信を確立することができる。送信端末１１０は、確立されたメディアセッション内でコンテンツの送信処理を行なう。  
読込部２０３は、外部にある記憶媒体２５０からコンテンツおよびコンテンツの詳細情報を受け取る。詳細情報は、コンテンツの種別、コンテンツのサイズを含む情報である。
保存部２０４は、読込部２０３からコンテンツを受け取って格納する。なお、保存部２０４は、メモリでもよく、外部からコンテンツのストリーミングデータを受信して、ストリーミングデータをバッファするようにしてもよい。
【００１２】
能力確認部２０５は、保存部２０４からコンテンツの詳細情報を抽出し、詳細情報を受信端末１２０へ送信することで、コンテンツを受信端末１２０で受信することが可能かどうかを確認する。
具体的には、例えば、送信端末１１０が、受信端末１２０で受信可能なコンテンツ種別を要求するコンテンツ種別要求を受信端末１２０へ送信する。その後、送信端末１１０が、受信端末１２０からコンテンツ種別要求に対する応答を受信した後に、その応答に含まれるコンテンツの種別を参照して、送信対象のコンテンツと同一の種別が存在すれば受信端末１２０が受信可能であると判定すればよい。  
また別の例では、送信端末１１０がコンテンツの種別を受信端末１２０へ送信し、その後、受信端末１２０が同一種別のコンテンツを受信できる場合に送信端末１１０へ受信可能である旨の応答を行い、能力確認部２０５において受信端末１２０がコンテンツを受信可能であると判定してもよい。  
能力確認部２０５は、受信端末１２０がコンテンツを受信することが可能であることを確認した場合、コンテンツを送信することを示す送信指示を生成する。
【００１３】
送信部２０６は、能力確認部２０５から送信指示を受け取った場合、保存部２０４からコンテンツを抽出する。その後、送信部２０６は、受信端末１２０へコンテンツを送信する。  
表示部２０７は、例えば、一般的なディスプレイであり、コンテンツの映像を表示する。また、送信端末１１０および受信端末１２０がテレビ電話により通話している場合は、お互いの画像などが表示される。  
操作部２０８は、例えば、リモコン、マウスおよびキーボードであり、ユーザからの入力を受け付け、操作情報を得る。  
出力部２０９は、操作部２０８から操作情報を受け取り、操作情報を表示部２０７に出力する。
電話部２１０は、受信端末１２０と音声電話またはテレビ電話を行なう。
【００１４】
コンテンツ表示状態記憶部２１１は、表示部２０７に過去に表示されたコンテンツおよび現在表示されているコンテンツに関する表示順序を記憶する。表示順序は、コンテンツを表示部に表示した順番を示す。また、コンテンツ表示状態記憶部２１１は、コンテンツの表示順序の代わりに、受信端末１２０へコンテンツを送信した順番を示す送信順序を記憶してもよい。送信順序は例えば、一般的なコンテンツの送信履歴から得てもよい。  
制御部２１２は、複数のアプリケーションを格納し、ユーザからの指示に応じてアプリケーションを実行する。アプリケーションは、例えば、電話、ｗｅｂ閲覧、写真および画像ビューワなどが挙げられる。また、制御部２１２は、通話中に複数のコンテンツを連続して受信端末１２０に送信する場合、受信端末１２０がコンテンツの受信を完了したことを示す受信完了通知を受信端末１２０から受信するまで、コンテンツ表示状態記憶部２１１に記憶される表示順序または送信順序を参照して、１つ前に表示または送信したコンテンツを表示部２０７に表示させるように制御する。
【００１５】
次に、受信端末１２０について図３のブロック図を参照して説明する。  
受信端末１２０は、ＳＩＰ確立部３０１、ＴＣＰ確立部３０２、能力応答部３０３、受信部３０４、保存部３０５、表示部３０６、送信部３０７、電話部３０８および制御部３０９を含む。
ＳＩＰ確立部３０１は、送信端末１１０から呼接続の要求を受け取り、呼接続の要求に応じてＳＩＰを用いて呼接続を確立する。  
ＴＣＰ確立部３０２は、送信端末１１０からのメディアセッション確立の要求を受け取り、メディアセッション確立の要求に応じてＴＣＰのメディアセッションを確立する。  
能力応答部３０３は、送信端末１１０の能力確認部２０５から詳細情報を受信して、受信端末１２０でコンテンツを受信することが可能かどうかを判定し、判定結果を送信端末へ送信する。
【００１６】
受信部３０４は、送信端末１１０から送信されたコンテンツを受信する。  
保存部３０５は、受信部３０４から受信が完了したコンテンツを受け取って保存する。
表示部３０６は、送信端末１１０の表示部２０７と同様の構成であり、保存部３０５に保存されたコンテンツを画面に表示する。  
送信部３０７は、受信完了通知を送信端末１１０へ送信する。  
電話部３０８は、送信端末１１０の電話部２１０と同様の構成であり、送信端末１１０と音声電話またはテレビ電話を行う。  
制御部３０９は、複数のアプリケーションを格納し、ユーザからの指示に応じてアプリケーションを実行する。制御部３０９は、コンテンツの受信が完了するたびに、通話中に最も受信時刻が新しいコンテンツを表示部３０６に表示させるように制御する。
【００１７】
次に、コンテンツ配信システムの動作について図４のシーケンス図を参照して説明する。  
なお、送信端末１１０から受信端末１２０へ送信されるコンテンツとして写真のデータを想定し、２つの写真（以下、写真Ａおよび写真Ｂ）が連続して送信される場合について説明する。
ステップＳ４０１では、送信端末１１０のＳＩＰ確立部２０１が、受信端末１２０を特定するＩＤ（ここでは、電話番号）に基づいてＳＩＰによる呼接続の要求を受信端末１２０へ送る。受信端末１２０のＳＩＰ確立部３０１は、呼接続の要求に応答し、呼接続が確立する。これにより、送信端末１１０と受信端末１２０との間で通話可能状態となる。  
ステップＳ４０２では、送信端末１１０のＴＣＰ確立部２０２が、ＳＩＰの呼接続で取得したＩＰアドレスおよびポート番号に基づいて、ＴＣＰのメディアセッションの開始を要求する。受信端末１２０のＴＣＰ確立部３０２は、メディアセッションの開始の要求に応答し、送信端末１１０と受信端末１２０との間でメディアセッションが確立する。  
ステップＳ４０３では、送信端末１１０の能力確認部２０５が、確立したＴＣＰのメディアセッション内で、送信端末１１０で選択されたコンテンツの種別を受信端末１２０が受信可能かどうかを確認する。
【００１８】
ステップＳ４０４では、送信端末１１０の送信部２０６が、送信対象となる写真Ａの詳細情報を受信端末１２０へ送信し、受信端末１２０から写真Ａの受信準備が完了したことを示す応答を受け取る。  
ステップＳ４０５では、送信端末１１０において、保存部２０４に保存された写真Ａが表示部２０７に表示される。  
ステップＳ４０６では、送信端末１１０の送信部２０６が、写真Ａを受信端末１２０へ送信する。
【００１９】
ステップＳ４０７では、送信端末１１０の制御部２１２が、コンテンツ表示状態記憶部２１１を参照して、写真Ａを送信中には、表示部２０７に画像データを表示させないように制御する。
ステップＳ４０８では、受信端末１２０の受信部３０４が、写真Ａの受信を完了した場合、送信部３０７が写真Ａを受信したことを示す受信完了通知を送信端末１１０へ送信する。  
ステップＳ４０９では、受信端末１２０の制御部３０９が、表示部３０６に受信した写真Ａを表示させ、写真Ａが保存部３０５に保存される。
【００２０】
ステップＳ４１０では、送信端末１１０において、受信端末１２０からの受信完了通知を受信した場合、写真Ａが表示部２０７に表示される。  
ステップＳ４１１では、送信端末１１０において、次に送信すべき写真Ｂが表示部２０７に表示される。  
ステップＳ４１２では、送信端末１１０の送信部２０６が、写真Ｂを受信端末１２０へ送信する。
【００２１】
ステップＳ４１３では、送信端末１１０の制御部２１２が、コンテンツ表示状態記憶部２１１を参照して、写真Ｂを送信中には、表示部２０７に写真Ａを表示させる。  
ステップＳ４１４では、受信端末１２０の受信部３０４が写真Ｂの受信を完了した場合、送信部３０７が写真Ｂを受信したことを示す受信完了通知を送信端末１１０へ送信する。  
ステップＳ４１５では、受信端末１２０の表示部３０６が受信した写真Ｂを表示し、写真Ｂが保存部３０５に保存される。  
ステップＳ４１６では、送信端末１１０において、受信端末１２０からの受信完了通知を受信した場合、写真Ｂが表示部２０７に表示される。
【００２２】
以上でコンテンツ配信システムの動作を終了する。なお、上記のステップ以降、３つ以上のコンテンツが配信される場合は、ステップＳ４１１からステップＳ４１６間での処理を同様に繰り返せばよい。このように受信端末１２０の表示にあわせて送信端末１１０に表示される画像を制御することで、同じコンテンツを見ながら通話することができ、より快適な通話を支援することができる。  
なお、コンテンツが音楽データや動画データである場合は、受信完了通知をトリガとして、送信端末１１０および受信端末１２０で同期をとってコンテンツを再生してもよい。
【００２３】
次に、送信端末１１０および受信端末１２０における画面遷移の一例について図５を参照して説明する。送信端末１１０および受信端末１２０における状態として、非通話状態５０１、単独通話状態５０２、ながら通話状態５０３の３つの状態を想定する。  
非通話状態５０１は、通話をしていない状態であり、初めに設定されるホーム画面と、ホーム画面に表示されるアプリケーションの１つである「電話」を選択する画面とを含む。  
単独通話状態５０２は、通話のみを行っている状態であり、音声電話とＴＶ電話とを含む。  
ながら通話状態５０３は、通話状態に加えて、同時にコンテンツに関する動作を実行している状態である。図５の例では、音声電話と同時に、ｗｅｂ（Ａ）、写真（Ｂ）、ビデオ（Ｃ）、ゲーム（Ｄ）および電話帳（Ｅ）をそれぞれ起動する場合を示す。同様に、ＴＶ電話についても、ｗｅｂ（Ｆ）、写真（Ｇ）、ビデオ（Ｈ）、ゲーム（Ｉ）および電話帳（Ｊ）をそれぞれ起動する場合を示す。なお、ＴＶ電話の場合は、ｗｅｂ（Ｆ）とビデオ（Ｈ）との場合は、ＴＶ電話の音声のみとしてもよい。
【００２４】
「電話」を選択するアプリケーションを実行することで、非通話状態５０１から単独通話状態５０２へ遷移することができ、各アプリケーションを実行することで、ながら通話状態５０３に遷移することができる。なお、通話切断後は単独通話状態５０２から非通話状態５０１のホーム画面に戻ってもよく、ながら通話状態５０３において、「戻る」ボタンを押下するなどの操作で、単独通話状態５０２に戻ってもよい。
【００２５】
次に、音声電話の場合の送信端末１１０と受信端末１２０との表示部における画面の状態遷移の一例について図６Ａおよび図６Ｂを参照して説明する。図６Ａおよび図６Ｂでは、ながら通話として音声電話と写真の閲覧とを同時に行う場合を想定する。また、特に断らない限り、送信端末１１０の状態遷移として説明する。  
図６Ａは、非通話状態、単独通話状態、および、ながら通話状態の間で、どのイベントにより表示部に表示される画面の状態が遷移するかを示す。イベントとして、ここではリモコンイベント、画面選択イベント、ＮＷ（ネットワーク）イベントを想定する。図６Ｂは、リモコンイベントに基づく割り込みによる状態遷移を示す。
【００２６】
ホーム画面６０１は、基準の画面であり、初期状態はホーム画面６０１が表示される。
電話画面６０２は、ホーム画面６０１から、画面選択イベントとして「電話」アプリケーションを選択することで表示される。また、電話画面６０２から「戻る」ボタンを押下することでホーム画面６０１に遷移する。  
発信接続中画面６０３は、発着信履歴、電話帳などから音声電話を発信することで表示される。また、非通話時のすべての状態における音声電話ダイヤルの発信によっても表示される。
【００２７】
着信接続中画面６０４は、本実施形態では受信端末１２０に係る画面であり、音声電話着信があった場合に表示される。  
音声電話中画面６０５は、通話対象となる端末が応答した場合に表示される。受信端末１２０の場合はオンフックボタンを押下することにより表示される。  
音声電話メニュー画面６０６は、音声電話中画面６０５においてメニューボタンを押下することにより表示される。また、音声電話メニュー画面６０６から「戻る」ボタンを押下することにより、音声電話中画面６０５に遷移する。
【００２８】
音声電話および写真選択画面６０７は、音声電話メニュー画面６０６において写真選択を行う場合に表示される。また、音声電話および写真選択画面６０７から「戻る」ボタンを押下することにより、音声電話中画面６０５に遷移する。  
音声電話および写真表示画面６０８は、音声電話および写真選択画面６０７から送信する写真を選択する場合に表示される。  
音声電話および写真メニュー画面６０９は、音声電話および写真表示画面６０８からメニューボタンを押下することにより表示される。また、音声電話および写真メニュー画面６０９から「戻る」ボタンを押下することにより、音声電話および写真表示画面６０８に遷移する。
【００２９】
送信中画面６１０は、音声電話および写真メニュー画面６０９において「送信」アプリケーションを選択することで表示される。また、送信中画面６１０においてコンテンツの送信が完了した場合、および、送信中止を選択した場合には、音声電話および写真表示画面６０８に遷移する。
受信中画面６１１は、本実施形態に係る受信端末１２０に係る画面であり、例えば、受信端末１２０における音声電話メニュー画面６０６、音声電話中画面６０５、音声電話および写真選択画面６０７、および、音声電話および写真表示画面６０８からデータ受信を開始した場合に表示される。また、受信中画面６１１においてコンテンツの送信が完了した場合、および、受信中止を選択した場合には、音声電話および写真表示画面６０８に遷移する。  
なお、図６Ｂに示すように、ながら通話状態において、オンフックボタンを押下することにより強制的に終話画面に遷移させてもよい。また、ながら通話状態において、ホームボタンを押下することにより、単独通話状態である音声電話中画面６０５に遷移させてもよい。
【００３０】
同様に、ＴＶ電話の場合の送信端末１１０と受信端末１２０との状態遷移の一例について図７Ａおよび図７Ｂに示す。図７Ａおよび図７Ｂは、音声電話がＴＶ電話であること以外は図６Ａおよび図６Ｂと同様の画面遷移であるので、ここでの詳細な説明は省略する。
【００３１】
次に、図６に示すコンテンツ配信システムにおける、ながら通話状態に関する具体的な画面遷移について図８Ａから図８Ｄを参照して説明する。なお、図８Ａから図８Ｄでは、ながら通話状態として、音声電話を行ないつつ写真を閲覧する場合を想定する。  
ステップＳ８０１では、送信端末１１０のホーム画面６０１に表示されるアプリケーションから「電話」のアイコンを選択する。その後、送信端末１１０は、受信端末１２０の電話番号を指定して発信する。  
ステップＳ８０２では、受信端末１２０が、送信端末１１０からの発信を受信し、リモコンの着信ボタンなどにより応答することで、呼接続が確立する。呼接続確立後、送信端末１１０および受信端末１２０ともに、音声電話中画面６０５が表示される。  
ステップＳ８０３では、送信端末１１０において、例えばリモコンのメニューボタンを押下すると、音声電話メニュー画面６０６が表示される。音声電話メニュー画面において、「写真」アイコンを選択する。
【００３２】
ステップＳ８０４では、送信端末１１０において、音声電話および写真選択画面６０７が表示され、ここでは、写真Ａを選択する。  
ステップＳ８０５では、送信端末１１０において、音声電話および写真表示画面６０８で写真Ａが表示される。  
ステップＳ８０６では、送信端末１１０において、再びメニューボタンを押下することで、音声電話および写真メニュー画面６０９が表示される。ここでは、「送信」アイコンを選択する。  
ステップＳ８０７では、送信端末１１０において、写真Ａが送信中であることを示すダイアログ８５１が表示される。なお、写真Ａの送信中は、受信端末１２０では写真Ａが受信完了して閲覧可能な状態ではないので、送信端末１１０のコンテンツ表示状態記憶部２１１を参照して、画像を表示させない。例えば、送信中画面６１０のように何も表示させない。一方、受信端末１２０では、写真Ａを受信する応答を送信端末１１０へ行ったのち、受信中画面６１１として、写真Ａが受信中であることを示すダイアログ８５２が表示される。その後、写真を表示するアプリケーション（画像ビューアなど）を起動する。
【００３３】
ステップＳ８０８では、受信端末１２０において写真Ａの受信が完了すると、受信端末１２０に写真Ａが表示される。また、送信端末１１０において写真Ａの送信が完了すると、送信した写真Ａが表示される。送信端末１１０と受信端末１２０との両方に、写真Ａが表示されることで、同じ写真Ａを見ながら、音声通話を行うことができる。  
ステップＳ８０９では、送信端末１１０において、写真Ａが表示されている状態から、リモコンの「戻る」ボタンを押すと、音声電話および写真選択画面６０７に戻り、写真Ｂを選択する。
【００３４】
ステップＳ８１０では、送信端末１１０において、写真Ｂが表示される。  
ステップＳ８１１では、送信端末１１０において、再びメニューボタンを押下することで、音声電話および写真メニュー画面６０９が表示され、「送信」アイコンを選択する。
ステップＳ８１２では、送信端末１１０において、写真Ｂが送信中であることを示すダイアログ８５１が表示される。このとき、受信端末１２０において写真Ｂが受信完了していないので、受信端末１２０には写真Ｂが表示される。一方、送信端末１１０では、コンテンツ表示状態記憶部２１２を参照することにより、受信端末１２０の表示状態にあわせて、写真Ａが表示される。
【００３５】
ステップＳ８１３では、受信端末１２０において写真Ｂの受信が完了すると、受信端末１２０に写真Ｂが表示される。また、送信端末１１０において写真Ｂの送信が完了すると、送信した写真Ｂが表示される。このように、受信端末１２０が写真Ｂを受信完了するまでは、送信端末１１０と受信端末１２０との両方で写真Ａを表示し、受信端末１２０が写真Ｂを受信完了したときに、送信端末１１０と受信端末１２０との両方に写真Ｂが表示されることで、同じ写真を見ながら、音声通話を行うことができる。  
ステップＳ８１４では、リモコンの「切断」ボタンを押下することで、呼接続を切断して終話となり、送信端末１１０および受信端末１２０の両方とも一定時間、終話画面６１２を表示する。  
ステップＳ８１５では、初期状態のホーム画面６０１へ遷移する。以上で、コンテンツ配信システムにおける送信端末１１０および受信端末１２０の画面遷移を終了する。
【００３６】
次に、図７に示すコンテンツ配信システムにおける、ながら通話状態に関する具体的な画面遷移について図９Ａから図９Ｄを参照して説明する。図９Ａから図９Ｄでは、ＴＶ電話を行ないながら、写真を閲覧する場合を想定する。  
なお、図９Ａから図９Ｄに示す各ステップＳ９０１からステップＳ９１５までの処理は、図８Ａから図８Ｄに示す音声電話における閲覧処理ステップＳ８０１からステップＳ８１５までとほぼ同様であるので、ここでの詳細な説明は省略する。  
図９に示す音声電話の場合と異なる点は、自分の映像９５１と他人の映像９５２とを表示する点である。例えば、ステップＳ１００４におけるＴＶ電話および写真選択画面７０７と、ステップＳ１００５におけるＴＶ電話および写真表示画面７０８とでは、自分の映像９５１と他人の映像９５２とが、ＴＶ電話および写真選択画面７０７および音声電話および写真表示画面７０８よりも小さく表示される。
【００３７】
以上に示した本実施形態によれば、受信端末の表示部に表示されるコンテンツと送信端末の表示部に表示されるコンテンツとをあわせることで、同一のコンテンツを閲覧しながら通話をすることができ、快適な通話を支援することができる。
上述の実施形態の中で示した処理手順に示された指示は、ソフトウェアであるプログラムに基づいて実行されることが可能である。汎用の計算機システムが、このプログラムを予め記憶しておき、このプログラムを読み込むことにより、上述したコンテンツ配信システムによる効果と同様な効果を得ることも可能である。上述の実施形態で記述された指示は、コンピュータに実行させることのできるプログラムとして、磁気ディスク（フレキシブルディスク、ハードディスクなど）、光ディスク（ＣＤ−ＲＯＭ、ＣＤ−Ｒ、ＣＤ−ＲＷ、ＤＶＤ−ＲＯＭ、ＤＶＤ±Ｒ、ＤＶＤ±ＲＷ、Ｂｌｕ−ｒａｙ（登録商標）Ｄｉｓｃなど）、半導体メモリ、又はこれに類する記録媒体に記録される。コンピュータまたは組み込みシステムが読み取り可能な記録媒体であれば、その記憶形式は何れの形態であってもよい。コンピュータは、この記録媒体からプログラムを読み込み、このプログラムに基づいてプログラムに記述されている指示をＣＰＵで実行させれば、上述した実施形態のコンテンツ配信システムと同様な動作を実現することができる。もちろん、コンピュータがプログラムを取得する場合又は読み込む場合はネットワークを通じて取得又は読み込んでもよい。  
また、記録媒体からコンピュータや組み込みシステムにインストールされたプログラムの指示に基づきコンピュータ上で稼働しているＯＳ（オペレーティングシステム）や、データベース管理ソフト、ネットワーク等のＭＷ（ミドルウェア）等が本実施形態を実現するための各処理の一部を実行してもよい。  
さらに、本実施形態における記録媒体は、コンピュータあるいは組み込みシステムと独立した媒体に限らず、ＬＡＮやインターネット等により伝達されたプログラムをダウンロードして記憶または一時記憶した記録媒体も含まれる。  
また、記録媒体は１つに限られず、複数の媒体から本実施形態における処理が実行される場合も、本実施形態における記録媒体に含まれ、媒体の構成は何れの構成であってもよい。
【００３８】
なお、本実施形態におけるコンピュータまたは組み込みシステムは、記録媒体に記憶されたプログラムに基づき、本実施形態における各処理を実行するためのものであって、パソコン、マイコン等の１つからなる装置、複数の装置がネットワーク接続されたシステム等の何れの構成であってもよい。  
また、本実施形態におけるコンピュータとは、パソコンに限らず、情報処理機器に含まれる演算処理装置、マイコン等も含み、プログラムによって本実施形態における機能を実現することが可能な機器、装置を総称している。
【００３９】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００４０】
１００・・・コンテンツ配信システム、１１０・・・送信端末、１２０・・・受信端末、１５０・・・ネットワーク、１５１・・・コンテンツ、１５２・・・サーバ、２０１，３０１・・・ＳＩＰ確立部、２０２，３０２・・・ＴＣＰ確立部、２０・・・読込部、２０４，３０５・・・保存部、２０５・・・能力確認部、２０６，３０７・・・送信部、２０７，３０６・・・表示部、２０８・・・操作部、２０９・・・出力部、２１０，３０８・・・電話部、２１１・・・コンテンツ表示状態記憶部、２１２，３０９・・・制御部、２５０・・・記憶媒体、３０３・・・能力応答部、３０４・・・受信部、５０１・・・非通話状態、５０２・・・単独通話状態、５０３・・・ながら通話状態、６０１，７０１・・・ホーム画面、６０２，７０２・・・電話画面、６０３，７０３・・・発信接続中画面、６０４，７０４・・・着信接続中画面、６０５・・・音声電話中画面、６０６・・・音声電話メニュー画面、６０７・・・音声電話および写真選択画面、６０８・・・音声電話および写真表示画面、６０９・・・音声電話および写真メニュー画面、６１０・・・送信中画面、６１１・・・受信中画面、６１２，７１２・・・終話画面、７０５・・・ＴＶ電話中画面、７０６・・・ＴＶ電話メニュー画面、７０７・・・ＴＶ電話および写真選択画面、７０８・・・ＴＶ電話および写真表示画面、７０９・・・ＴＶ電話および写真メニュー画面、７１０・・・送信中画面、７１１・・・受信中画面、８５１，８５２・・・ダイアログ、９５１・・・自分の映像、９５２・・・他人の映像。
【図１】
0005732412.tif 000002
【図２】
0005732412.tif 000003
【図３】
0005732412.tif 000004
【図４】
0005732412.tif 000005
【図５】
0005732412.tif 000006
【図６Ａ】
0005732412.tif 000007
【図６Ｂ】
0005732412.tif 000008
【図７Ａ】
0005732412.tif 000009
【図７Ｂ】
0005732412.tif 000010
【図８Ａ】
0005732412.tif 000011
【図８Ｂ】
0005732412.tif 000012
【図８Ｃ】
0005732412.tif 000013
【図８Ｄ】
0005732412.tif 000014
【図９Ａ】
0005732412.tif 000015
【図９Ｂ】
0005732412.tif 000016
【図９Ｃ】
0005732412.tif 000017
【図９Ｄ】
0005732412.tif 000018